(57)【特許請求の範囲】
【請求項１】
地中に形成された雨水流入槽の上壁部に雨水流入口が設けられ、上記雨水流入槽に、その内部を、粗固形物捕集容器を設置するための容器設置空間と水溜め空間とに仕切る仕切り壁が設けられ、上記雨水流入口の下方の上記雨水流入槽の内部に、上記雨水流入口から流入してきた雨水およびその雨水に混ざっている微細固形物が通過して上記水溜め空間に入ることを許す水通路とその雨水中の粗固形物を受け止めて上記容器設置空間に設置された上記粗固形物捕集容器の中へ排出する粗固形物受渡し部とを有する粗固形物分離機構が配備され、上記水溜め空間における上記粗固形物分離機構の下方位置に、上記粗固形物分離機構の水通路を通過した上記雨水と上記微細固形物とを受け入れかつ受け入れた上記雨水を上記水溜め空間の中へ導入する微細固形物捕集容器の設置箇所が設けられ、上記水溜め空間に溜まった雨水をその水溜め空間から排出する排水路を有することを特徴とする雨水中の固形物分離装置。
【請求項２】
上記雨水流入槽の上壁部に、上記容器設置空間に通じかつその容器設置空間に上記粗固形物捕集容器を出し入れ可能な大きさの第１開口と、上記水溜め空間に通じかつ上記微細固形物捕集容器を出し入れ可能な大きさの第２開口とが開設されていると共に、これらの第１および第２の各開口に着脱可能な蓋体を有する請求項１に記載した雨水中の固形物分離装置。
【請求項３】
上記雨水流入口の口縁部上面との間に上記粗固形物および上記微細固形物の混ざった雨水が通過可能な広さの隙間を形成して上記雨水流入口を上方から覆うようにその雨水流入口の上記口縁部に配備される蓋体を有する請求項１または請求項２に記載した雨水中の固形物分離装置。
【請求項４】
上記排水路が、地中に形成された雨水貯留槽に連通されている請求項１、請求項２、請求項３のいずれかに記載した雨水中の固形物分離装置。
【請求項５】
上記粗固形物分離機構が、上記水通路を形成する隙間を隔てて横に並列され、それぞれが個別に、無端状に連続する往路と復路とを回動可能でかつ上記往路の終部が上記容器設置空間に設置された上記粗固形物捕集容器に臨まされる複数条の無端ベルトを備えると共に、上記往路で受け止めた上記粗固形物などの重量により上記無端ベルトが回動し得るように上記往路の始部よりもその終部を下位として複数条の上記無端ベルトが傾斜して配備されている請求項１、請求項２、請求項３、請求項４のいずれかに記載した雨水中の固形物分離装置。
【請求項６】
上記往路の終部で複数状の上記無端ベルトのそれぞれに付着した上記粗固形物をその無端ベルトの走行によってそれらの無端ベルトから剥がし取ることにより上記粗固形物捕集容器に払い落とす粗固形物掻取り部材を備える請求項５に記載した雨水中の固形物分離装置。
【請求項７】
上記粗固形物分離機構が、上記水通路を形成する隙間を隔てて横に並列され、それぞれが個別に、無端状に連続する往路と復路とを回動可能でかつ上記往路の終部が上記容器設置空間に設置された上記粗固形物捕集容器に臨まされる複数条の無端チェンと、それら複数条の無端チェンを回動させるための駆動源と、を備える請求項１、請求項２、請求項３、請求項４のいずれかに記載した雨水中の固形物分離装置。
【請求項８】
上記往路の終部で複数条の上記無端チェンのそれぞれに付着した上記粗固形物をその無端チェンの走行によってそれらの無端チェンから剥がし取ることにより上記粗固形物捕集容器に払い落とす粗固形物掻取り部材を備える請求項７に記載した雨水中の固形物分離装置。
【発明の詳細な説明】
【０００１】
【発明の属する技術分野】
本発明は、雨水に混ざっている小枝、木の葉、砂、小石などの粗固形物や微細固形物を地表に降った雨水から分離する装置に関する。特に、地中に形成された雨水貯留槽に導入される前の雨水から上記粗固形物や微細固形物を分離するのに適する雨水中の固形物分離装置に関する。
【０００２】
【従来の技術】
近年、地表に降った雨水を集めて地中に設置されている雨水貯留槽に一旦貯留し、貯留した雨水を河川の増水時などを避けてその河川に放流したり、貯留した上記雨水を徐々に地中に浸透させたりして都市河川の氾濫を防ぐといった雨水管理や、上記雨水貯留槽に貯留した上記雨水を公園の植物の潅漑水や防火用水に利用するといった雨水管理が、注目されている。
【０００３】
これらの雨水管理を行う上で、上記雨水貯留槽に流入する雨水に小枝や木の葉などの粗固形物や小石や砂などの微細固形物が混ざっていると、その雨水貯留槽の中にそれらの固形物が次第に堆積するのでその雨水貯留槽を頻繁に清掃しなければならなくなったり、その雨水貯留槽に貯留されている雨水を河川に放流したり地中に浸透させたり潅漑水に利用したりするときなどに支障が生じる。このことより、雨水を集めて流すための側溝の終部から直接に上記雨水貯留槽に雨水を流し込むことは好ましくないといえる。
【０００４】
他方、上記雨水貯留槽に通じる雨水流入口を、公園の歩道脇などの人が通行する場所や人の集まる場所に設置と、その雨水流入口のために歩行に支障をきたすことがあった。そこで、従来は、図５に示したように、上記雨水流入口をグレーチング１００で塞ぎ、そのグレーチング１００に具備された小さな開口１１０を通して地表を流れてきた雨水を上記雨水貯留槽に流入させると共に、そのグレーチング１００によって小枝や木の葉などの比較的大形の粗固形物Ｓ１が上記雨水貯留槽に流入しないようにしていた。
【０００５】
【発明が解決しようとする課題】
上記したように、雨水を集めて流すための側溝の終部から直接に上記雨水貯留槽に雨水を流し込むようにすると、上記雨水貯留槽に流入する雨水に小枝や木の葉などの粗固形物や小石や砂などの微細固形物が混ざり込むと問題がある。
【０００６】
また、上記したグレーチング１００によって雨水とその雨水に混ざっている上記粗固形物Ｓ１を分離するようにしただけでは、粗固形物Ｓ１、特に木の葉などが上記グレーチング１００に付着してその開口１１０を塞ぐので、掃除によってその粗固形物Ｓ１を上記グレーチング１００から頻繁に取り除く必要があるばかりでなく、上記グレーチング１００に上記粗固形物Ｓ１が付着していると衛生面からも美観面からも問題がある。また、公園などの木の葉の多いところでは、グレーチング１００の上面が枯れ葉で覆われ、降雨時の水の流れが遮断され、歩道いっぱいに長時間に亘って水が溜まり、通行できなくなるという状況が起こっていた。さらに、水の中に木の葉が長く混入していることにより水が腐敗しやすくなるといった問題もあった。
【０００７】
本発明は以上の事情や問題に鑑みてなされたものであり、小枝や木の葉などの粗固形物や砂や小石などの微細固形物の混ざっている雨水が地表を流れてきた場合に、それらの固形物の混ざっている雨水をそのまま雨水流入口に流入させた後、それらの粗固形物や微細固形物を雨水から分離することができるようにすることによって、清掃を頻繁に行う必要がなく、しかも、その雨水流入口を常に清潔に保つことができ、雨水の流れを遮断することなく、水中に木の葉が溜まることによる水の腐敗が起こることを防止することができる雨水中の固形物分離装置を提供することを目的とする。
【０００８】
また、本発明は、雨水から分離した上記粗固形物や微細固形物を捕集することができ、しかも捕集したそれらの固形物をまとめて廃棄することのできる雨水中の固形物分離装置を提供することを目的とする。
【０００９】
さらに、本発明は、上記粗固形物や上記微細固形物を分離した後の雨水を、地中に形成した雨水貯留槽に導入することのできる雨水中の固形物分離装置を提供することを目的とする。
【００１０】
さらに、本発明は、上記雨水流入口から流入した雨水中からそれに混ざっている上記粗固形物や微細固形物を無動力で分離して捕集することのできる雨水中の固形物分離装置を提供することを目的とする。
【００１１】
【課題を解決するための手段】
本発明に係る雨水中の固形物分離装置は、地中に形成された雨水流入槽の上壁部に雨水流入口が設けられ、上記雨水流入槽に、その内部を、粗固形物捕集容器を設置するための容器設置空間と水溜め空間とに仕切る仕切り壁が設けられ、上記雨水流入口の下方の上記雨水流入槽の内部に、上記雨水流入口から流入してきた雨水およびその雨水に混ざっている微細固形物が通過して上記水溜め空間に入ることを許す水通路とその雨水中の粗固形物を受け止めて上記容器設置空間に設置された上記粗固形物捕集容器の中へ排出する粗固形物受渡し部とを有する粗固形物分離機構が配備され、上記水溜め空間における上記粗固形物分離機構の下方位置に、上記粗固形物分離機構の水通路を通過した上記雨水と上記微細固形物とを受け入れかつ受け入れた上記雨水を上記水溜め空間の中へ導入する微細固形物捕集容器の設置箇所が設けられ、上記水溜め空間に溜まった雨水をその水溜め空間から排出する排水路を有する、というものである。
【００１２】
この発明において、小枝や木の葉などの粗固形物や小石や砂などの微細固形物の混ざった雨水が地表を流れて上記雨水流入口に流入すると、上記粗固形物分離機構の水通路を通過して上記雨水流入槽の水溜め空間に入った上記雨水とそれに混ざっている上記微細固形物が、微細固形物捕集容器の設置箇所に設置された上記微細固形物捕集容器に入った後、その微細固形物が上記微細固形物捕集容器によって捕集される一方で、雨水がその微細固形物捕集容器から上記水溜め空間に導入される。そして、水溜め空間に溜まった雨水が上記排水路を経て排出される。
【００１３】
これに対し、地表を流れてきた雨水に混ざっている上記粗固形物は、上記粗固形物分離機構の上記粗固形物受渡し部によって受け止められた後、上記容器設置空間に設置された上記粗固形物捕集容器の中へ排出され、その粗固形物捕集容器によって捕集される。
【００１４】
上記した固形物分離装置においては、上記雨水流入槽の上壁部に、上記容器設置空間に通じかつその容器設置空間に上記粗固形物捕集容器を出し入れ可能な大きさの第１開口と、上記水溜め空間に通じかつ上記微細固形物捕集容器を出し入れ可能な大きさの第２開口とが開設されていると共に、これらの第１および第２の各開口に着脱可能な蓋体を有することが望ましい。
【００１５】
このものによると、蓋体を取り外して開放した第１開口を利用して粗固形物捕集容器を地上に取り出し、それによって捕集されている小枝や木の葉などの粗固形物をまとめて処分することができる。また、蓋体を取り外して開放した第２開口を利用して微細固形物捕集容器を地上に取り出し、それによって捕集されている小石や砂などの微細固形物をまとめて処分することができる。さらに、通常時には、上記第１開口や第２開口に上記蓋体を装着しておくことにより、その第１開口や第２開口が人の通行などの障害になることはない。
【００１６】
また、上記した固形物分離装置においては、上記雨水流入口の口縁部上面との間に上記粗固形物および上記微細固形物の混ざった雨水が通過可能な広さの隙間を形成して上記雨水流入口を上方から覆うようにその雨水流入口の上記口縁部に配備される蓋体を有するものであることが望ましい。
【００１７】
このものによると、上記蓋体を配備して上記雨水流入口を上方から覆っておくことにより、その蓋体と上記雨水流入口の口縁部上面との間に形成された隙間を通して上記粗固形物および上記微細固形物の混ざった雨水を上記雨水流入口に流入させることができるものである。しかも、上記隙間は、小枝や木の葉などの上記粗固形物を雨水と共に通過させる広さを有しているので、その隙間に、上記粗固形物が引っ掛かったり引っ掛かった粗固形物が堆積したりして雨水の流入を阻害したり美観を損ねたりすることがない。
【００１８】
また、上記した固形物分離装置においては、上記排水路を、地中に形成された雨水貯留槽に連通させておくことが可能である。このようにすると、当該固形物分離装置によって上記粗固形物や上記微細固形物が分離された後の上記雨水だけが上記雨水貯留槽に導入されるようになり、その雨水貯留槽には、上記粗固形物や上記微細固形物のほとんど混ざっていない雨水だけが貯留されるようになる。
【００１９】
また、上記した固形物分離装置においては、上記粗固形物分離機構が、上記水通路を形成する隙間を隔てて横に並列され、それぞれが個別に、無端状に連続する往路と復路とを回動可能でかつ上記往路の終部が上記容器設置空間に設置された上記粗固形物捕集容器に臨まされる複数条の無端ベルトを備えると共に、上記往路で受け止めた上記粗固形物などの重量により上記無端ベルトが回動し得るように上記往路の始部よりもその終部を下位として複数条の上記無端ベルトが傾斜して配備されていることが望ましい。
【００２０】
このような粗固形物分離機構を備える上記固形物分離装置によると、地表を流れてきた雨水やその雨水に混ざっている微細固形物は、上記雨水流入口に流入した後、複数条の無端ベルトの相互間の上記隙間によって形成された上記水通路を通過して水溜め空間に入る。その一方で、雨水と共に上記雨水流入口に流入した小枝や木の葉などの上記粗固形物が上記無端ベルトの往路で受け止められると、その無端ベルトが上記粗固形物などの重量によって回動するので、その粗固形物が上記粗固形物捕集容器に払い落とされる。したがって、無動力で上記粗固形物が上記雨水から分離されて上記粗固形物捕集容器に捕集される。
【００２１】
この場合、木の葉などの上記粗固形物が無端ベルトに付着したままその無端ベルトの復路へ移送されることがあり、そのような事態が起こって無端ベルトの復路に多くの粗固形物が付着したままになると、その無端ベルトが上記粗固形物などの重量によって回動しなくなるということが起こり得る。この事態を回避するためには、上記往路の終部で複数状の上記無端ベルトのそれぞれに付着した上記粗固形物をその無端ベルトの走行によってそれらの無端ベルトから剥がし取ることにより上記粗固形物捕集容器に払い落とす粗固形物掻取り部材を備えておくとよい。こうしておくと、上記無端ベルトの回動に伴ってその往路の終部で上記粗固形物掻取り部材によってその無端ベルトからそれに付着している上記粗固形物が剥がし取られて上記粗固形物捕集容器に確実に払い落とされる。
【００２２】
また、上記粗固形物分離機構として、上記水通路を形成する隙間を隔てて横に並列され、それぞれが個別に、無端状に連続する往路と復路とを回動可能でかつ上記往路の終部が上記容器設置空間に設置された上記粗固形物捕集容器に臨まされる複数条の無端チェンと、それら複数条の無端チェンを回動させるための駆動源と、を備えるものを採用することも可能である。
【００２３】
このような粗固形物分離機構を備える上記固形物分離装置によると、地表を流れてきた雨水やその雨水に混ざっている微細固形物は、上記雨水流入口に流入した後、複数条の無端チェンの相互間の上記隙間によって形成された上記水通路を通過して水溜め空間に入る。その一方で、雨水と共に上記雨水流入口に流入した小枝や木の葉などの上記粗固形物が上記無端チェンの往路で受け止められ、上記駆動源によってその無端チェンが回動されると、その粗固形物が上記粗固形物捕集容器に払い落とされる。
【００２４】
このような駆動源で駆動される無端チェンを備えた上記粗固形物分離機構を採用する場合においても、上記往路の終部で複数条の上記無端チェンのそれぞれに付着した上記粗固形物をその無端チェンの走行によってそれらの無端チェンから剥がし取ることにより上記粗固形物捕集容器に払い落とす粗固形物掻取り部材を備える、という構成を採用することが可能であり、そのようにしておくと、上記無端チェンが駆動源によって回動されるのに伴ってその往路の終部で上記粗固形物掻取り部材によりその無端チェンに付着している上記粗固形物が剥がし取られて上記粗固形物捕集容器に確実に払い落とされる。
【００２５】
【発明の実施の形態】
図１は本発明の実施の一形態である雨水中の固形物分離装置Ａを概略的に示した縦断面図、図２は上記固形物分離装置Ａに採用されている粗固形物分離機構Ｂを概略的に示した一部省略斜視図、図３は公園に設置された上記固形物分離装置Ａを示す説明図である。
【００２６】
図１のように、この固形物分離装置Ａの雨水流入槽１はコンクリートを打設して地中に形成されている。なお、この雨水流入槽１を鋼板やＦＲＰなどの合成樹脂で製作してそれを地中に埋設してもよい。この雨水流入槽１の上壁部２は、地表面Ｇと同一または略同一のレベルになっており、その一部に雨水流入口３が開設され、この雨水流入口３は、その口縁部３１に配備された蓋体４によってその上方から覆われている。
【００２７】
上記蓋体４はその脚部４１を上記口縁部３１に載架することによって配備されているのであり、その下端部４２と上記口縁部３１との間には、小枝や木の葉などの粗固形物Ｓ１および小石や砂などの微細固形物Ｓ２の混ざっている雨水Ｗが矢符で示したように通過できる広さの隙間Ｈが形成されている。図例の蓋体４には、ドーム形の骨組み４３の頂部にモニュメント４４を取り付けた装飾蓋が採用されており、このような装飾蓋を上記蓋体４に採用すると、蓋体４の本来の設置目的であるところの、上記粗固形物Ｓ１や上記微細固形物Ｓ２の混ざっている雨水が上記雨水流入口３に流入することを可能にすると共に、上記雨水流入口３を覆ってその雨水流入口３から人が落ちるという危険性を無くするという機能が果たされることは勿論、その蓋体４によって景観の向上を図ることができるという利点がある。したがって、公園などの人の通行する場所や人の集まる場所に設置される上記固形物分離装置Ａにおいては、上記装飾蓋を上記蓋体４に採用することが特に有益である。
【００２８】
上記雨水流入槽１には、その内部を、粗固形物捕集容器５を設置するための容器設置空間６１と水溜め空間６２とに仕切る仕切り壁６が立ち上げられており、この仕切り壁６によって仕切られた上記水溜め空間６２の上方に上記雨水流入口３が開設されている。そして、上記水溜め空間６２と上記容器設置空間６１との間に亘って粗固形物分離機構Ｂが配備され、この粗固形物分離機構Ｂに粗固形物掻取り部材８が付設されている。
【００２９】
粗固形物分離機構Ｂは、上記雨水流入口３から流入してきた雨水Ｗおよびその雨水に混ざっている微細固形物Ｓ２が通過して上記水溜め空間６２に入ることを許す水通路７１とその雨水Ｗ中の粗固形物Ｓ１を受け止めて上記容器設置空間６１に設置された上記粗固形物捕集容器５の中へ排出する粗固形物受渡し部７２とを有する。
【００３０】
この実施形態で採用されている粗固形物分離機構Ｂは、図２に示したように複数条の無端ベルト７３…を有する。この複数条の無端ベルト７３…は、それらの相互間に上記水通路７１を形成する隙間を隔てて横に並列されており、かつ、それぞれの無端ベルト７３…が、それらの無端ベルト７３…によって形成される無端状に連続する往路７４と復路７５とを個別に回動可能になっている。すなわち、それぞれの無端ベルト７３は、その往路７４の始部７４ａと終部７４ｂとが各別に一対ずつのプーリ７６，７７に巻き掛けられており、かつ、それらのプーリ７６，７７が支軸７８，７９に回転自在に支持されている。そして、それぞれの無端ベルト７３において、上記往路７４の終部７４ｂが、上記容器設置空間６１に設置された上記粗固形物捕集容器５に臨まされ（図１参照）ていると共に、上記往路７５の始部７４ａよりもその終部７４ｂが下位になるように傾斜している。この傾斜角は、上記往路７４で受け止めた上記粗固形物Ｓ１などの重量によりそれぞれの上記無端ベルト７３が回動し得る角度に定められている。それぞれの上記無端ベルト７３は、その往路７４に位置する部分が上記した粗固形物受渡し部７２に相当している。また、図例の無端ベルト７３においては、所定間隔おきに水溜め凹所８１を備えている。そのため、上記往路７４においてこの水溜め凹所８１に溜まった水の重量が上記無端ベルト７３を回動させるための負荷として役立つので、上記往路７４で上記無端ベルト７３に受け止められた上記粗固形物Ｓ１の重量だけでその無端ベルト７３を回動させるようにしたものに比べてその無端ベルト７３の回転が円滑に行われる。なお、上記往路７４で上記水溜め凹所８１に溜まった水は、その往路７４の終部７４ｂから復路７５に移行するときのその水溜め凹所８１の反転により水溜め空間６２に排出される。
【００３１】
上記粗固形物掻取り部材８は、上記往路７４の終部７４ｂで複数条の上記無端ベルト７３のそれぞれに付着した上記粗固形物Ｓ１をその無端ベルト７３の走行によってそれらの無端ベルト７３から剥がし取ることにより上記粗固形物捕集容器５（図１参照）に払い落とす作用を発揮する。このような粗固形物掻取り部材８としては、図２に示したように、複数条の上記無端ベルト７３…の往路７４の終部７４ｂに沿って横架された水平杆８３から櫛歯状に複数の掻取り片８４…，８５…を突設させたものを好適に採用することができる。図例の粗固形物掻取り部材８における上記掻取り片８４…，８５…は、上記往路７４の終部７４ｂにおいて相隣接する無端ベルト７３，７３の相互間の隙間に突入された掻取り片８４と、上記往路７４の終部７４ｂにおいてそれぞれの無端ベルト７３に接触された掻取り片８５とを有しており、前者の掻取り片８４は、相隣接する無端ベルト７３，７３の相互間の隙間を跨いでそれらの無端ベルト７３，７３に付着した粗固形物Ｓ１を剥がし取るのに有効であり、後者の掻取り片８５は、無端ベルト７３の表面に付着した粗固形物Ｓ１を剥がし取るのに有効である。
【００３２】
図１に示したように、上記水溜め空間６２における上記粗固形物分離機構Ｂの下方位置に、上記粗固形物分離機構Ｂの上記水通路７１を通過した雨水Ｗとその雨水Ｗに混ざっている上記微細固形物Ｓ２とを受け入れかつ受け入れた上記雨水Ｗを上記水溜め空間６２の中へ導入する微細固形物捕集容器９の設置箇所６３が設けられ、その設置箇所６３に上記微細固形物捕集容器９が設置されている。この微細固形物捕集容器９としては、通水孔となる網目を有するネット状の側壁を備えた篭体を好適に用いることができる。
【００３３】
上記雨水流入槽１の上壁部２には、上記容器設置空間６１に通じかつその容器設置空間６１に設置された上記粗固形物捕集容器５を出し入れ可能な大きさの第１開口２１と、上記水溜め空間６２に通じかつ上記微細固形物捕集容器９を出し入れ可能な大きさの第２開口２２とが開設され、それらの第１および第２の各開口２１，２２に蓋体２３，２４が着脱可能になっている。また、上記雨水流入槽１の側壁部１５に、上記水溜め空間６２に溜まった雨水Ｗをその水溜め空間６２から溢流させて排出し得る排水路１６が接続されている。なお、上記容器設置空間６１にもその容器設置空間６１に溜まった雨水を排出するための排水路１７が接続されている。そして、これらの排水路１６，１７が、図３に一点鎖線で示した雨水貯留槽２００に連通されている。
【００３４】
以上説明した固形物分離装置Ａにおいて、小枝や木の葉などの粗固形物Ｓ１や小石や砂などの微細固形物Ｓ２の混ざった雨水Ｗが地表面Ｇを流れ、上記蓋体４と上記雨水流入口３の口縁部３１との間の隙間Ｈを経て上記雨水流入口３に流入すると、上記微細固形物Ｓ２の混ざっている雨水Ｗが、上記固形物分離機構７に備わっている複数条の無端ベルト７３の相互間の隙間によって形成された上記水通路７１を通過して水溜め空間６１を落下し、その下方に設置されている上記微細固形物捕集容器９に入り、その微細固形物Ｓ２が上記微細固形物捕集容器９の底に沈殿して捕集され、その雨水Ｗがその微細固形物捕集容器９から出て上記水溜め空間６２に溜まる。こうして水溜め空間に溜まった雨水の水位が一定の水位に達すると、その雨水Ｗが上記排水路１６を上記雨水貯留槽２００に流入する。
【００３５】
その一方で、雨水Ｗと共に上記雨水流入口３に流入した小枝や木の葉などの上記粗固形物Ｓ１は、上記無端ベルト７３の往路７４で受け止められる。こうして粗固形物Ｓ１が上記無端ベルト７３の往路７４で受け止められると、その無端ベルト７３が上記粗固形物Ｓ１や上記水溜め凹所８１に溜まった水の重量によって回動し、そのような無端ベルト７３の回動に伴ってその往路７４の終部７４ｂで上記粗固形物掻取り部材８２によってその無端ベルト７３からそれに付着している上記粗固形物Ｓ１が剥がし取られて上記粗固形物捕集容器５に払い落とされる。
【００３６】
上記粗固形物Ｓ１を捕集した上記粗固形物捕集容器５を、上記蓋体２３を取り外して開放した第１開口２１を利用して地上に取り出すようにすれば、地上でその粗固形物Ｓ１をまとめて処分することが可能になる。また、上記微細固形物Ｓ２を捕集した上記微細固形物捕集容器９を、上記蓋体２４を取り外して開放した第２開口２２を利用して地上に取り出すようにすれば、地上でその微細固形物Ｓ２をまとめて処分することが可能になる。
【００３７】
図３に示したように、上記固形物分離装置Ａを公園の歩道３０１の脇に設置し、その固形物分離装置Ａの上記排水路１６，１７が連通される雨水貯留槽２００をその公園の地中に設置しておくことが望ましい。このようにしておくと、上記装飾蓋により構成された上記蓋体４が公園の景観を向上させることに役立ち、しかも、その雨水流入口３に小枝や木の葉などが堆積することがないので衛生面でも好ましい。
【００３８】
図４に上記粗固形物分離機構Ｂの変形例を示している。この粗固形物分離機構Ｂは、上記水通路７１を形成する隙間を隔てて横に並列され、それぞれが個別に、無端状に連続する往路７４と復路７５とを回動可能でかつ上記往路７４の終部７４ｂが上記容器設置空間６１（図１参照）に設置された上記粗固形物捕集容器５（図１参照）に臨まされる複数条の無端チェン７３Ｂ…と、それら複数条の無端チェン７３Ｂ…を回動させるための電動機でなる駆動源７０とを備えている。上記無端チェン７３Ｂは、ステンレス製の短い帯片をピンを介して無端状に多数連結したものによって形成されており、そのような無端チェン７３Ｂがプーリ７６，７７に巻き掛けられている。
【００３９】
図４に示したような駆動源７０で駆動される無端チェン７３Ｂを備えた上記粗固形物分離機構Ｂを備える上記固形物分離装によっても、図２で説明した上記粗固形物分離機構Ｂと同じ作用が発揮される。なお、図４の上記粗固形物分離機構Ｂは、駆動源７０が必要に応じて駆動される点で、図２のものと異なる。また、図４の上記粗固形物分離機構Ｂにおいても、上記往路７４の終部で複数条の上記無端チェン７３Ｂのそれぞれに付着した上記粗固形物をその無端チェン７３Ｂの走行によってそれらの無端チェン７３Ｂから剥がし取ることにより上記粗固形物捕集容器５に払い落とす粗固形物掻取り部際８を設けることが可能である。
【００４０】
以上説明した実施形態では、小枝や木の葉などの粗固形物Ｓ１や小石や砂などの微細固形物Ｓ２の混ざった雨水Ｗが地表面Ｇを流れ、上記蓋体４と上記雨水流入口３の口縁部３１との間の隙間Ｈを経て上記雨水流入口３に流入するようになっているけれども、この点は、たとえば、雨水を集める側溝の終部に直接に連通する雨水流入口を設けておいてもよい。
【００４１】
【発明の効果】
本発明に係る雨水中の固形物分離装置によると、小枝や木の葉などの粗固形物や砂や小石などの微細固形物の混ざっている雨水が地表や側溝を流れてきた場合に、それらの固形物の混ざっている雨水をそのまま雨水流入口に流入させた後、それらの粗固形物や微細固形物を雨水から分離することができるようになるので、雨水流入口の清掃を頻繁に行う必要がなく、しかも、その雨水流入口を常に清潔に保つことができ、美観を損なうこともなくなり、さらに維持管理費も安価になる。また、雨水から分離した上記粗固形物や上記微細固形物を捕集してそれらの固形物をまとめて廃棄することのできるようになるという利便がある。
【００４２】
さらに、本発明に係る雨水中の固形物分離装置によると、上記粗固形物や上記微細固形物を分離した後の雨水を、地中に形成した雨水貯留槽に導入することができるので、雨水貯留槽には上記粗固形物や上記微細固形物の混ざっていない雨水だけを貯留することができるようになり、そのことが、雨水貯留槽に貯留されている雨水の利用性を向上させることにつながる。
【図面の簡単な説明】
【図１】本発明の実施の一形態である雨水中の固形物分離装置を概略的に示した縦断面図である。
【図２】上記固形物分離装置に採用されている粗固形物分離機構を概略的に示した一部省略斜視図である。
【図３】公園に設置された上記固形物分離装置を示す説明図である。
【図４】上記粗固形物分離機構の変形例を概略的に示した一部省略斜視図である。
【図５】従来例を示す斜視図である。
【符号の説明】
Ａ  固形物分離装置
Ｗ  雨水
Ｓ１  粗固形物
Ｓ２  微細固形物
Ｈ  隙間
１  雨水流入槽
２  上壁部
３  雨水流入口
４  蓋体
５  粗固形物捕集容器
６  仕切り壁
７  粗固形物分離機構
９  微細固形物捕集容器
１６  排水路
２１  第１開口
２２  第２開口
２３，２４  蓋体
６１  容器設置空間
６２  水溜め空間
６３  微細固形物捕集容器の設置箇所
７１  水通路
７２  粗固形物受渡し部
７３  無端ベルト
７３Ｂ  無端チェン
７４  往路
７４ａ  往路の始部
７４ｂ  往路の終部
７５  復路
８２  粗固形物掻取り部材
２００  雨水貯留槽
【図１】
0003541997.tif 000002
【図２】
0003541997.tif 000003
【図３】
0003541997.tif 000004
【図４】
0003541997.tif 000005
【図５】
0003541997.tif 000006